(57)【要約】【課題】  湾曲レール部を円弧状に湾曲させて、配向軸を傾斜させたフイルム延伸を精度よく行なう。【解決手段】  中間レール部４３ｂ，４４ｂと、湾曲レール部４３ｅ，４４ｅと、出口側レール部４３ｃ，４４ｃとを連結してレールを構成する。レールベース４８，４９を連結軸５０により回動自在に連結する。連結軸５０をリードネジ棒５１により変位させ、中間レール部４３ｂ、４４ｂと出口側レール部４３ｃ，４４ｃとの交差角度を変更する。レールベース４８，４９に１対のリンクレバー５５，５６を回動自在に設ける。円弧保持フレーム５４の一端部をレールベース４８，４９の連結軸５０に回動自在に連結し、他端部でリンクレバー５５，５６の連結軸をスライド自在に保持する。この円弧保持フレーム５４で湾曲レール部４３ｅ，４４ｅの中央をスライド自在に保持する。【選択図】        図２
2005169856.tif 000002
【特許請求の範囲】
【請求項１】
互いに対向するように配置されている二つのレールに沿って走行する複数の把持具により、シート状物の両側縁部を把持して移動させながら前記シート状物の搬送方向と交差する方向に張力を付与してシート状物の配向軸を傾斜させて延伸するテンター装置において、
前記レールの少なくとも一方を、第１レール部と、この第１レール部に連結される湾曲自在な湾曲レール部と、この湾曲レール部に連結される第２レール部と、前記湾曲レール部の中央部を保持して、第１レール部と第２レール部との交差角度における二等分線上に沿ってスライドさせる湾曲レール保持手段とから構成したことを特徴とするテンター装置。
【請求項２】
前記第１レール部が取り付けられる第１レールベースと、前記第２レール部が取り付けられる第２レールベースと、これらレールベースを回動自在に連結する連結軸部と、この連結軸部を前記シート状物の搬送方向に交差する方向で移動させる移動手段とを備えたことを特徴とする請求項１記載のテンター装置。
【請求項３】
前記湾曲レール保持手段は、連結軸部を介して互いに回動自在に連結され、前記第１レールベース及び第２レールベースに回動自在に取り付けられて４節リンク機構を構成する１対のリンクレバーと、前記１対のリンクレバーの連結軸部及び前記各レールベースの連結軸部の一方に回動自在に取り付けられ、前記１対のリンクレバーの連結軸部及び前記各レールベースの連結軸部の他方にスライド自在に保持されて前記二等分線上に位置するフレーム部材と、前記湾曲レール部の中央部を保持して、前記フレーム部材により前記二等分線上でスライド自在に保持されるスライド部材とを備えることを特徴とする請求項２記載のテンター装置。
【発明の詳細な説明】
【技術分野】
【０００１】
本発明はテンター装置に関し、特に、延伸倍率に関係なく、側辺に対して配向軸を任意角度で傾斜させたフィルム等のシート状物を製造するテンター装置に関するものである。
【背景技術】
【０００２】
偏光板は、液晶表示装置（以下、ＬＣＤ）の普及に伴い、需要が急増している。偏光板は一般に偏光能を有する偏光層の両面あるいは片面に、接着剤層により保護フィルムを貼り合わせて構成されている。偏光層の素材としてはポリビニルアルコール（以下、ＰＶＡ）が主として用いられており、ＰＶＡフィルムを一軸延伸してから、ヨウ素あるいは二色性染料で染色するかあるいは染色してから延伸し、さらにホウ素化合物で架橋することにより偏光層用の偏光膜が形成される。保護フィルムとしては、光学的に透明で複屈折が小さいことから、主にセルローストリアセテートが用いられている。通常、長手方向に一軸延伸するため、偏光膜の吸収軸は長手方向にほぼ平行となる。
【０００３】
従来のＬＣＤにおいては、画面の縦あるいは横方向に対して偏光板の透過軸を４５゜傾けて配置しているため、ロール形態で製造される偏光板の打ち抜き工程において、ロール長手方向に対し４５゜方向に打ち抜いていた。しかしながら４５゜方向に打ち抜いたときには、ロールの端付近で使用できない部分が発生し、特に大サイズの偏光板では、得率が小さくなるという問題があった。
【０００４】
また、位相差膜についても、近年その需要が高まり、着色防止や視野角拡大等の光学補償などを目的にＬＣＤを形成する偏光板等に接着して用いられ、偏光板の透過軸に対し配向軸を種々の角度で設定することが求められている。従来は、縦または横一軸延伸したフィルムより、その配向軸が辺に対して所定の傾斜角度となるように周辺を打ち抜いて裁断する方式がとられており、偏光板同様に得率の低下が問題となっていた。
【０００５】
この問題を解決するため、フィルム搬送方向に対しフィルムの配向軸を所望の角度に傾斜させる方法がいくつか提案されている。例えば、特許文献１や特許文献２では、プラスチックフィルムを横または縦に一軸延伸しつつ、その延伸方向の左右を異なる速度で前期延伸方向とは相違する縦または横方向に引っ張り延伸して、配向軸を前記一軸延伸方向に対し傾斜させることが提案されている。
【０００６】
また、特許文献３において、連続フィルムの左右両耳端に走行方向と角度θをなす左右対のフィルム保持ポイントを複数対有し、フィルムの走行につれて、各々の対ポイントがθの方向に延伸できる機構により、フィルムの走行方向に対し任意の角度θの延伸軸を有するフィルムを製造する方法が提案されている。
【０００７】
更に、特許文献４において、フィルムの両端部を、所定走行区間内におけるチャックの走行距離が異なるように配置されたテンターレール上を走行する２列のチャック間に把持して走行させることによりフィルムの長さ方向と斜交する方向に延伸する製造方法が提案されている。
【０００８】
しかしながら、特許文献１や特許文献２に記載のテンター装置では、プラスチックフィルムの両側縁部を把持して異なる速度で延伸するため、左右で搬送速度差をつけなければならず、これに起因するツレ( 不均一な引っ張り応力の結果生じる筋状ムラ) 、シワ、フィルム寄り( 局部的な厚みむら) が発生してしまう。このため、左右速度差を小さくしようとすれば、延伸工程が長くなってしまい、設備コストの増大につながる。また、特許文献３のテンター装置でも、フィルム進行速度をフィルムの左右で変えているため、上記同様の問題がある。また、特許文献４のテンター装置では、上記のような速度差に起因するツレ、シワの発生は抑制されるものの、前もって机上で計算されパターン化固定された延伸倍率でしか延伸することができないという問題がある。このように従来のテンター装置では、任意の配向角度で任意の延伸倍率のフィルムなどのシート状物を得ることが困難であった。
【０００９】
【特許文献１】特開昭５０−８３４８２号公報
【特許文献２】特開２０００−９９１２号公報
【特許文献３】特開平３−１８２７０１号公報
【特許文献４】特開平２−１１３９２０号公報
【発明の開示】
【発明が解決しようとする課題】
【００１０】
任意の配向角度で、且つ任意の延伸倍率でシート状物を延伸するためには、左右のレールにおける把持具によりフイルムを把持し、この把持開始から実質的な延伸を終了するまでの把持具の移動軌跡における長さ（以下、単に実質的なフイルム把持長さ）が左右で同じであり、且つ左右レールにおける実質的な延伸終了ポイントを結ぶ線と、延伸後のフイルムの中心線とのなす角度が配向角度αと同じになるように、左右の移動軌跡すなわちレールの屈曲形状を決定する必要がある。
【００１１】
このため、左右のレールの一方または両方を、直線状の第１レールと、この第１レールに連結される湾曲自在な湾曲レール部と、この湾曲レール部に連結される直線状の第２レール部とから構成し、これら左右のレールのフイルム幅方向における距離を独立させて変更するテンター装置が考えられている（例えば、特願２００２−８０２１号）。ところで、このようなテンター装置においては、前記実質的なフイルム把持長さを決定する際に、湾曲レール部の長さを精度よく算出する必要がある。このためには、湾曲レール部が常に円弧形状を保持しているという前提のもとに演算を行なう方が演算が簡単になり、且つ実質的なフイルム把持長さも精度よく求まることになる。このため、湾曲レール部の形状を精度よく円弧状に保持するようにしたテンター装置の開発が望まれていた。
【００１２】
本発明は、上記要請に応えるべくなされたものであり、交差角度の変更に関わらず常に湾曲レール部を円弧形状に保持するようにして、配向角度や延伸倍率の変更に対応可能にしたテンター装置を提供することを目的とする。
【課題を解決するための手段】
【００１３】
本発明のテンター装置では、互いに対向するように配置されている第１レール及び第２レールに沿って走行する複数の把持具により、シート状物の両側縁部を把持して移動させながら、前記シート状物に張力を与えて延伸させるテンター装置において、レールを複数のレール部から構成し、一方のレール部と他方のレール部との間を湾曲させて連結する湾曲連結レール部と、前記一方のレール部に対する他方のレール部の傾斜角度を変更する角度変更手段と、前記一方のレール部と他方のレール部との２等分線上に沿って、前記湾曲連結レール部の円弧の中心が位置するように前記湾曲レール部をスライドさせる湾曲連結レール部位置決め手段とを備えている。
【００１４】
また、本発明のテンター装置では、前記角度変更手段は、前記一方のレール部が固定された第１レールベースと、この第１レールベースと回動軸を介して回動自在に連結され、前記他方のレール部が連結された第２レールベースと、一端が第１及び第２レールベースに連結され、他端から伝達された直進移動を変換して第１及び第２レールベースを回動させるリンク部材と、このリンク部材の他端を支持する支持部材と、この支持部材を直進移動させる駆動部とからなり、前記駆動部による前記支持部材の直進移動を伝達された前記リンク部材が、前記回動軸を中心にして前記第１及び第２レールベースを互いに逆方向に回動させて前記傾斜角度を変更している。
【００１５】
さらにまた、本発明のテンター装置では、前記湾曲連結レール部位置決め手段は、前記支持部材と、前記駆動部と、一端が前記回動軸を介して前記第１及び第２レールベースと回動自在に連結され、他端が前記支持部材とスライド及び回動自在に連結されるとともに、前記湾曲連結レール部の中心付近を長手方向に沿ってスライド自在に支持したフレーム部材とからなり、前記駆動部による前記支持部材の直進移動が、前記フレーム部材の他端に伝達されて前記２等分線上の位置を保つようにして前記フレーム部材が回動する。
【発明の効果】
【００１６】
本発明によれば、レールの少なくとも一方を、第１レール部と、この第１レール部に連結される湾曲自在な湾曲レール部と、この湾曲レール部に連結される第２レール部と、前記湾曲レール部の中央部を保持して、第１レール部と第２レール部との交差角度における二等分線上に沿ってスライドさせる湾曲レール保持手段とから構成したので、湾曲レール部は円弧形状に湾曲し、かつ把持具の実質把持長さを精度良く求めることができる。
【発明を実施するための最良の形態】
【００１７】
図１は、本発明のテンター装置を示す概略の平面図である。このテンター装置１０は、右レール１１と、左レール１２と、これらレール１１，１２に案内される無端チェーン（エンドレスチェーン）１３，１４と、各フイルム幅調整部１６，１７と、各角度調整部２０〜２３と、出口位置調整部２５，２６とから構成され、各部の状態はコントローラ２８によって制御されている。このテンター装置１０はフイルム３０の入り口３１側から出口３２へ順に、予熱部１０ａ、延伸部１０ｂ、熱処理部１０ｃの各エリアに分けられている。
【００１８】
無端チェーン１３，１４には、把持具（フイルムクリップ）３３が所定ピッチで多数取り付けられている。このフイルムクリップ３３はフイルム３０の側縁部を把持しながら、各レール１１，１２に沿って移動することで、フイルム３０に張力を付加し、かつ張力を与える方向をフイルム３０の搬送方向と直交する幅方向に対して次第に傾斜させることにより搬送方向に対してシート状物の配向軸の角度を傾斜させて延伸する。
【００１９】
無端チェーン１３はホイール部材としての原動スプロケット３４及び従動スプロケット３５，３６の間に掛け渡されており、これらスプロケット３４〜３６の間では、無端チェーン１３は右レール１１によって案内される。同様に無端チェーン１４は、原動スプロケット３７及び従動スプロケット３８，３９の間に掛け渡されており、左レール１２によって案内される。原動スプロケット３４，３７は、その中心位置がフイルム３０の出口３２に合わせて設けられており、従動スプロケット３６，３９は、その中心位置がフイルム３０の入り口３１に合わせて設けられている。
【００２０】
これらスプロケット３４，３６，３７，３９に近接してフィルムクリップ３３の開放部材（図示省略）が配置されている。この開放部材は、入り口３１側の原動スプロケット３６，３９では、フイルム３０の把持位置の前で、フィルムクリップ３３の図示しない係合部に接触してこれを開放状態にし、フイルム３０の側縁部をフィルムクリップ３３内に案内する。そして、把持位置を通過するときに開放部材が前記係合部から離れ、フィルムクリップ３３が開放位置から把持位置にセットされて、フイルム３０の側縁部が把持される。同様にして、出口３２側の従動スプロケット３４，３７では、フイルム３０の把持解除位置で開放部材によりフィルムクリップ３３が開放位置にされて、フイルム３０の側縁部の把持が開放される。
【００２１】
右レール１１は、前記各スプロケット３４〜３６と、これら各スプロケット３４〜３６の間に配置される延伸側レール本体４１と、戻し側レール本体４２とから構成されている。同様に左レール１２も、前記各スプロケット３７〜３９と、これら各スプロケット３７〜３９の間に配置される延伸側レール本体４３と、戻し側レール本体４４とから構成されている。
【００２２】
右レール１１を構成する延伸側レール本体４１及び戻し側レール本体４２は、入り口レール部４１ａ，４２ａと、中間レール部４１ｂ，４２ｂと、出口レール部４１ｃ，４２ｃとからそれぞれ構成されている。同様に、左レール１２を構成する延伸側レール本体４３及び戻し側レール本体４４も、入り口レール部４３ａ，４４ａと、中間レール部４３ｂ，４４ｂと、出口レール部４３ｃ，４４ｃとからそれぞれ構成されている。
【００２３】
中間レール部４１ｂには、その上下流側に湾曲連結レール部４１ｄ，４１ｅが設けられている。この湾曲連結レール部４１ｄ，４１ｅは、各レール部４１ａ〜ｃの間を湾曲するようにそれぞれ連結する。なお、中間レール部４３ｂ，４４ｂ，４２ｂにも同様に、上下流側に湾曲連結レール部４３ｄ，４３ｅ，４４ｄ，４４ｅ，４２ｄ，４２ｅがそれぞれ設けられている。
【００２４】
湾曲連結レール部４３ｅ，４４ｅには、フイルム３０の延伸倍率及び配向角度αを変更する延伸倍率変更手段としての角度調整部２３が取り付けられている。この角度調整部２３によって、湾曲連結レール部４３ｅ，４４ｅの湾曲する角度が変更される。なお、湾曲連結レール部４１ｄ，４２ｄ，４１ｅ，４２ｅ，４３ｄ，４４ｄにも同様に角度調整部２０〜２２がそれぞれ取り付けられている。
【００２５】
図２及び図３は、角度調整部２３及び湾曲連結レール部４３ｅ，４４ｅの構成を示している。なお、他の角度調整部２０〜２２も同様に構成されている。湾曲連結レール部４４ｅは２つの屈曲レール部材４７ａ，４７ｂから構成されている。屈曲レール部材４７ａ，４７ｂは図３の拡大図に示すように、複数のバネ板を重ねて構成されており、中間レール部４４ｂ、出口レール部４４ｃにスライド可能に取り付けられている。なお、湾曲連結レール部４３ｅも同様に屈曲レール部材４６ａ，４６ｂから構成されている。角度調整部２３により角度の変更が行われたとき、屈曲レール部材４６ａ，４６ｂ，４７ａ，４７ｂが中間レール部４３ｂ，４４ｂ及び出口レール部４３ｃ，４４ｃに対して摺接しながらスライドし、湾曲連結レール部４３ｅ，４４ｅは湾曲する角度をそれぞれ変更することができる。
【００２６】
角度調整部２３は、レールベース４８，４９と，連結軸５０と、リードネジ棒５１と、モータ５２と、湾曲レール保持部５３とからなる。レールベース４８，４９は連結軸５０を介して互いに回動自在に連結しており、レールベース４８には、中間レール部４３ｂ，４４ｂが、レールベース４９には、出口レール部４３ｃ，４４ｃがそれぞれ固定されている。湾曲レール保持部５３は、円弧保持フレーム５４、リンクレバー５５，５６、スライドピン５７、及びレール保持ブロック５８からなる。円弧保持フレーム５４は、連結軸５０を介してレールベース４８，４９に対して回動自在に取り付けられており、この円弧保持フレーム５４には、湾曲連結レール部４３ｅ，４４ｅの円弧の半径方向に沿って配置された長孔形状のガイド孔５４ａが形成されている。リンクレバー５５，５６の一端はスライドピン５７を介して互いに回動自在に連結しており、このスライドピン５７はガイド孔５４ａに案内され、ガイド孔５４ａ内で直線移動する。リンクレバー５５，５６の他端は、取付ピン５９を介してレールベース４８，４９に回動自在に取付けられており、４節リンク機構を構成する。
【００２７】
連結軸５０には押動ブロック６０が回動自在に取り付けられている。この押動ブロック６０には雌ネジ部が形成してあり、この雌ネジ部にリードネジ棒５１が取り付けられている。この押動ブロック６０、リードネジ棒５１及びモータ５２は、連結軸５０の移動手段を構成しており、リードネジ棒５１は、モータ５２により回転駆動され、モータ５２はドライバ６１を介してコントローラ２８により制御される。したがって。モータ５２が回転するとリードネジ棒５１を介して連結軸５０が移動し、これにより、角度調整部２３の角度が変更される。
【００２８】
この角度変更に伴い、リンクレバー５５，５６を介して円弧保持フレーム５４がレールベース４８，４９の交差角度を２等分する線上に位置することになる。円弧保持フレーム５４には、上述したガイド孔５４ａよりも連結軸５０に近い位置に、長孔形状のガイド孔５４ｂが形成されており、このガイド孔５４ｂ内にレール保持ブロック５８がスライド自在に取り付けられている。レール保持ブロック５８は、屈曲レール部材４６ａ，４６ｂ，４７ａ，４７ｂの中央部分を保持しているため、レールベース４８，４９の交差角度の大きさに関わりなく常にほぼ円弧形状に湾曲することになる。
【００２９】
図４は左レール１２の出口位置調整部２６の構成を示すものであり、この出口位置調整部２６は、出口レール部４３ｃ，４４ｃ、幅方向レール部６１、原動スプロケット３７、従動スプロケット３８、スライドフレーム６４、フレーム駆動部６５、スプロケットベース６６、ベース移動部６７からなる。出口レール部４３ｃは、原動スプロケット３７の位置まで直進するように配置されている。原動スプロケット３７と従動スプロケット３８との間の位置には、フイルム３０の搬送方向Ｍと直交する幅方向Ｎに沿って幅方向レール部６１が配置されている。そして、従動スプロケット３８の位置から出口レール部４３ｃの方へ向かって戻っていくように出口レール部４４ｃが配置されている。
【００３０】
出口レール部４３ｃは、伸縮部上流側６８ａと伸縮部下流側６８ｂとからなる。伸縮部下流側６８ｂの凸部７１と伸縮部上流側６８ａの凹部７２とが無端チェーン６の送り方向に沿ってスライド自在に嵌合しているので、出口レール部４３ｃは伸縮自在となっている。なお、幅方向レール部６１及び出口レール部４４ｃも出口レール部４３ｃと同様の構成であり、それぞれ伸縮部上流側６９ａ，７０ａ、伸縮部下流側６９ｂ，７０ｂからなる。出口レール部４３ｃの伸縮部上流側６８ａは、上述したレールベース４９に固着されており、伸縮部下流側６８ｂは、フレーム６７に固着されている。
【００３１】
スライドフレーム６４は、原動スプロケット３７、幅方向レール部６１、スプロケットベース６６、及びベース移動部６７を支持しており、フレーム駆動部６５の駆動によって移動する。フレーム駆動部６５は、スライドフレーム６７に設けられた雌ねじ部に螺合するリードネジ棒７３と、このリードネジ棒７３を回転させるモータ７４、及び幅方向Ｎに沿って配置されたガイド軸７５からなり、コントローラ２８からの制御によってモータ７４が回転し、ガイド軸７５に沿ってスライドフレーム６４を移動させる。
【００３２】
スプロケットベース６６には、従動スプロケット３８、幅方向レール部６１の伸縮部下流側６９ｂ、及び出口レール部４４ｃの伸縮部上流側７０ａが取り付けられている。ベース移動部６７は、フレーム駆動部６５と同様の構成であり、リードネジ棒７８、モータ７９、及びガイド軸８０からなる。このベース移動部６７は、スプロケットベース６６を、幅方向Ｎに沿って、且つスライドフレーム６４に対して相対移動させる。このスプロケットベース６６の移動によって、スプロケット３７とスプロケット３８との間隔が変更され、これに従動して伸縮部下流側６９ｂがスライドし、幅方向レール部６１を短縮又は伸長させる。
【００３３】
また、出口レール部４４ｃの伸縮部上流側７０ａは、スプロケットベース６６に対して回動自在に取り付けられており、伸縮部下流側７０ｂは、レールベース４９に対して回動自在に取り付けられている。スプロケットベース６６の移動によって、伸縮部上流側７０ａがスプロケットベース６６に従動して幅方向Ｎに沿ってスライドするとともに、スプロケットベース６６に対して回動し、出口レール部４４ｃを短縮又は伸長させる。
【００３４】
また、フレーム駆動部６５は、出口位置調整部２６を構成するとともに、フイルム幅調整手段を兼ねている。なお、入り口レール部４３ａにも同様に、フイルム幅調整手段としてのフイルム幅調整部１７が設けられている。フイルム幅調整部１７は、リードネジ棒８１及びモータ８２からなり、入り口幅Ｗ１を調整することができる。なお、右レール１１も同様の構成で、出口位置調整部２６及びフイルム幅調整部１７とほぼ同様の構成をしている出口位置調整部２５及びフイルム幅調整部１６が備えられている。
【００３５】
延伸倍率の変更が行われるとき、上述したフイルム幅調整部１６、角度調整部２０，２１により、右入り口レール部４１ａ，４２ａがフイルム搬送方向に直交する方向で平行移動する。またフイルム幅調整部１７、角度調整部２２，２３により左入り口レール部４３ａ，４４ａがフイルム搬送方向に直交する方向で平行移動する。これらフイルム幅調整部１６，１７、角度調整部２０〜２３によって、供給するフイルム３０の幅Ｗ１に合わせてフイルム入り口３１の幅が決定される。
【００３６】
コントローラ２８にはキーボード等のデータ入力部８４が設けられており、テンター入り口幅Ｗ１や延伸倍率Ｎ、配向角度αなどの設定値が入力が可能になっている。なお、延伸倍率Ｎに代えてフィルム出口幅Ｗ２を入力してもよい。また、コントローラ２８内には延伸パターンの演算式が予めプログラミングされており、これがメモリ８５内に格納されている。コントローラ２８は、テンター入り口幅Ｗ１、延伸倍率Ｎ（又は出口幅Ｗ２）、配向角度αの設定値が入力されると、これらの設定値に基づき演算式から、左右チェーン１３，１４による実質的なフイルム把持長さＬＡ，ＬＢ（ＬＡ＝ＬＢ，但しＬＡはＰＡ１からＰＡ２までのフイルムクリップ３３の移動軌跡長さであり、ＬＢはＰＢ１からＰＢ２までのフイルムクリップ３３の移動軌跡長さである。）とその位置を求め、求めた位置になるように、各角度調整部２０〜２３と、各フイルム幅調整部１６，１７とを駆動して各レール部４１ａ〜ｃ，４２ａ〜ｃ，４３ａ〜ｃ，４４ａ〜ｃを幅方向で変位させる。
【００３７】
すなわち、各角度調整部２０〜２３と、各フイルム幅調整部１６，１７とを駆動して、設定されたテンター入り口幅Ｗ１、延伸倍率Ｎとなるようにするとともに、レール１１，１２の開き角度を変化させることにより、任意の延伸倍率（Ｗ２／Ｗ１）で任意の配向角度α（１０°≦α≦８０°）の斜交フィルムが得られるようにする。
【００３８】
次に、本実施形態の作用を説明する。まず、データ入力部８４からテンター入り口幅Ｗ１と、出口幅Ｗ２、配向軸の傾斜角度αとを入力する。これらのデータが入力されると、コントローラ２８は演算式を用いて、各角度調整部２０〜２３、各フイルム幅整部１６，１７を駆動する。
【００３９】
モータ５２の回転によりリードネジ棒５１が回転すると、連結軸５０が移動する。これによって、レールベース４８，４９とともに中間レール部４３ｂ，４４ｂと出口レール部４４ｂも変位し、湾曲連結レール部４３ｅ，４４ｅが湾曲する角度が変更される。このとき、湾曲連結レール部４３ｅ，４４ｅは上述したように、レールベース４８，４９の交差角度の大きさに関わりなく常にほぼ円弧形状に湾曲することになる。したがって、湾曲連結レール部４３ａ，４４ａ上を無端チェーン６が円滑に移動することができる。しかも、ほぼ円弧形状に保持されるため、湾曲連結レール部４３ａ，４４ａの実質把持長さを演算する際に、この実質把持長さを精度良く求めることができる。
【図面の簡単な説明】
【００４０】
【図１】本発明のテンター装置の概略を示す機能ブロックを含む平面図である。
【図２】角度調整部の構成を示す斜視図である。
【図３】角度調整部を上方から見た平面図である。
【図４】出口位置調整部の構成を示す平面図である。
【符号の説明】
【００４１】
２  テンター装置
１１，１２  レール
１３，１４  無端チェーン
３０  フイルム
１４  把持具
５３  湾曲レール保持部
５４  円弧保持フレーム
５５，５６  リンクレバー
５７  スライドピン
５８  レール保持ブロック
【図１】
2005169856.tif 000003
【図２】
2005169856.tif 000004
【図３】
2005169856.tif 000005
【図４】
2005169856.tif 000006